【手続補正書】
【提出日】平成30年9月18日(2018.9.18)
【手続補正１】
【補正対象書類名】特許請求の範囲
【補正対象項目名】全文
【補正方法】変更
【補正の内容】
【特許請求の範囲】
【請求項１】
オブジェクト（１０２）の一群の部品（１０６）を製造中に視覚化する方法であって、前記方法は：
部品のアセンブリ（１４４）に対する製造指示インスタンスの特定を受け取ること；
前記製造指示インスタンスについて、前記オブジェクト（１０２）内のボリューム（２１９）を、オペレータの視点（４０８）を含むボリューム識別子（２２２）を介して特定すること；
前記ボリューム（２１９）内で製造番号管理済みの一群の部品（１０６）を特定すること；及び
前記ボリューム（２１９）内の前記一群の部品（１０６）と前記アセンブリ（１４４）を、ディスプレイシステム（２０８）上の前記オペレータの視点（４０８）の下に表示して視覚化を行うこと
を含み、前記視覚化により、前記オブジェクト（１０２）内に前記製造番号管理済みの一群の部品（１０６）を配置すること、及び前記オペレータによる前記アセンブリ（１４４）の実行を支援することが可能になる方法。
【請求項２】
前記オブジェクト（１０２）は、航空機、ビークル、潜水艦、人員運搬車、タンク、列車、自動車、バス、宇宙機、宇宙船、衛星、ロケット、エンジン、コンピュータ、収穫機、建設用クレーン、ブルドーザー、及び採掘装置のうちの１つから選択される、請求項１に記載の方法。
【請求項３】
前記ディスプレイシステム（２０８）上のグラフィカルユーザインターフェース（２０７）に前記オブジェクト（１０２）のセクション（１３６）を表示すること
を更に含み、前記セクション（１３６）は、前記オブジェクト（１０２）のアセンブリ（１４４）のために製造される前記セクション（１３６）に対応し、前記セクション（１３６）は選択可能で；更に
前記製造指示インスタンスに基づいて前記オブジェクト（１０２）内の前記ボリューム（２１９）を特定することは、
前記グラフィカルユーザインターフェース（２０７）に表示される前記セクション（１３６）から選択されるセクションに対応する前記オブジェクト（１０２）のモデル（２１６）内に前記ボリューム（２１９）を特定することを含む、請求項１又は２に記載の方法。
【請求項４】
前記ボリューム（２１９）は前記オブジェクト（１０２）のモデル（２１６）内の座標（４０６）によって画定される、請求項１又は２に記載の方法。
【請求項５】
前記ボリューム（２１９）内で製造番号管理済みの前記一群の部品（１０６）を特定することは：
前記座標（４０６）によって画定される前記ボリューム（２１９）内に配置される前記モデル（２１６）内の部品（１０６）を特定すること；及び
前記ボリューム（２１９）内に存在すると特定される前記部品（１０６）から前記一群の部品（１０６）を特定すること
を含む、請求項４に記載の方法。
【請求項６】
前記ボリューム（２１９）内の前記一群の部品（１０６）を前記ディスプレイシステム（２０８）上に表示して視覚化を行うことは：
前記モデル（２１６）から前記一群の部品（１０６）のグラフィカル表現（２１４）を生成すること；及び
グラフィカルユーザインターフェース（２０７）の前記一群の部品（１０６）の前記グラフィカル表現（２１４）を表示することによって、前記ディスプレイシステム（２０８）上に前記一群の部品（１０６）を表示すること
を含む、請求項５に記載の方法。
【請求項７】
前記表示するステップは：
前記ボリューム（２１９）内の他の部品と関連付けて、前記ディスプレイシステム（２０８）上に前記ボリューム（２１９）内の前記一群の部品（１０６）を表示すること；及び
前記ボリューム（２１９）内の他の部品と関連付けることなく、前記ディスプレイシステム（２０８）上に前記ボリューム（２１９）内の前記一群の部品（１０６）を表示すること
のうちの少なくとも１つを含む、請求項１又は２に記載の方法。
【請求項８】
前記一群の部品（１０６）に関連する一式のグラフィカルインジケータ（２３１）を表示することを更に含み、
前記一式のグラフィカルインジケータ（２３１）は、製造番号管理済みの部品の存在、又は製造番号管理済みの部品の製造番号が検証済みかどうか、のうちの少なくとも１つを示し；また、
前記一式のグラフィカルインジケータ（２３１）は、色、クロスハッチング、アイコン、強調表示、又はアニメーションのうちの少なくとも１つから選択される、請求項１又は２に記載の方法。
【請求項９】
前記オブジェクト（１０２）内の前記ボリューム（２１９）を特定することは：
グラフィカルユーザインターフェース（２０７）上に表示される前記オブジェクト（１０２）のセクション（１３６）から前記オブジェクト（１０２）の一部を選択するユーザ入力を受け取ること；及び
部品（１０６）のリストから前記一群の部品（１０６）を選択するユーザ入力を受け取ること
のうちの少なくとも１つを含む、請求項１又は２に記載の方法。
【請求項１０】
製造番号管理済みの前記一群の部品（１０６）に対する一群の製造指示インスタンス（１３２）を特定すること；及び
前記ディスプレイシステム（２０８）上に表示された前記一群の部品（１０６）に関連する一式のグラフィカルインジケータ（２３１）を表示することを更に含み、前記一式のグラフィカルインジケータ（２３１）は、前記一群の部品（１０６）が配置される少なくとも１つのアセンブリ（１４４）又は幾つかのアセンブリに対する製造指示インスタンスのステータスを示す、請求項１又は２に記載の方法。
【請求項１１】
オブジェクト（１０２）の部品のアセンブリ（１４４）を管理するオブジェクトマネージャ（１２４）を備える航空機管理システムであって、前記オブジェクトマネージャは、
実行及びオブジェクト（１０２）の組立のためのオペレータ（１２２）への製造指示インスタンス（１３２）の形態による割り当て（１３０）を用いて、タスク（１１８）を管理し、前記製造指示インスタンスは前記部品のアセンブリ（１４４）に関する様々な種類の操作を含み、
前記製造指示インスタンスについて、航空機（１０４）内のボリューム（２１９）を、オペレータの視点（４０８）を含むボリューム識別子（２２２）を介して特定し、
前記ボリューム（２１９）内で製造番号管理済みの一群の部品（１０６）を特定し、
更に前記ボリューム（２１９）内の前記一群の部品（１０６）と前記アセンブリ（１４４）をディスプレイシステム（２０８）上の前記オペレータの視点（４０８）の下に表示して前記一群の部品（１０６）の視覚化を行い、前記視覚化により、前記航空機（１０４）内に前記一群の部品（１０６）を配置すること、及び前記オペレータによる前記アセンブリ（１４４）の実行を支援することが可能になる、航空機管理システム。
【請求項１２】
前記表示するステップは、
前記ボリューム（２１９）内の他の部品と関連付けて、前記ディスプレイシステム（２０８）上に前記ボリューム（２１９）内の前記一群の部品（１０６）を表示することを含む、請求項１１に記載の航空機管理システム。
【請求項１３】
前記ボリューム（２１９）内の前記一群の部品（１０６）を前記ディスプレイシステム（２０８）上に表示する際に、前記オブジェクトマネージャ（１２４）は、前記ボリューム（２１９）内の他の部品と関連付けることなく、前記ボリューム（２１９）内の前記一群の部品（１０６）を前記ディスプレイシステム（２０８）上に表示する、請求項１１に記載の航空機管理システム。
【請求項１４】
前記オブジェクトマネージャ（１２４）は、前記一群の部品（１０６）に関連する一式のグラフィカルインジケータ（２３１）を表示し；
前記一式のグラフィカルインジケータ（２３１）は、製造番号管理済みの部品の存在、又は製造番号管理済みの部品の製造番号が検証済みかどうか、のうちの少なくとも１つを示し；また、
前記一式のグラフィカルインジケータ（２３１）は、色、クロスハッチング、アイコン、強調表示、又はアニメーションのうちの少なくとも１つから選択される、請求項１１に記載の航空機管理システム。
【請求項１５】
前記航空機（１０４）の前記ボリューム（２１９）を特定する際に、前記オブジェクトマネージャ（１２４）は、グラフィカルユーザインターフェース（２０７）に表示される前記航空機（１０４）のセクション（１３６）から前記航空機（１０４）の一部を選択するユーザ入力を受け取り；
前記航空機（１０４）内の前記ボリューム（２１９）を特定する際に、前記オブジェクトマネージャ（１２４）は、部品（１０６）のリストから前記一群の部品（１０６）を選択するユーザ入力を受け取る、請求項１１に記載の航空機管理システム。
【手続補正２】
【補正対象書類名】明細書
【補正対象項目名】０１９６
【補正方法】変更
【補正の内容】
【０１９６】
例示的な例では、製造指示インスタンスの特定は、例示的な例に描かれているグラフィカルユーザインターフェース１１００の代わりに、グラフィカルユーザインターフェースとしてウィンドウ１２００によって実行されてもよい。言うまでもなく、ウィンドウ１２００は、グラフィカルユーザインターフェース１１００に追加されて又は代替として、他のグラフィカルユーザインターフェースによって表示されてもよい。